(57)【要約】【課題】【解決手段】無線端末に着信する通信は、経路指定規則に基づき、選択的に経路指定される。無線端末識別子及び代替経路指定識別子は無線端末に関連する。代替経路指定規則が満足されたか否かの判断がなされる。無線端末識別子に向けられた着信する通信は、経路指定規則が満足されなかったときは、無線端末識別子に基づき、又は経路指定規則が満足されたときは、代替経路指定識別子に基づき、選択的に経路指定される。【選択図】図１
2007512766.tif 000002
【特許請求の範囲】
【請求項１】
着信する通信を無線端末に経路指定する方法であって、
無線端末識別子と代替経路指定識別子との無線端末への関連付けと、
代替経路指定規則が満足されたか否かの判断と、
前記代替経路指定規則が満足されなかったときは前記無線端末識別子に基づく、又は前記代替経路指定規則が満足されたときは前記代替経路指定識別子に基づく、前記無線端末識別子に向けられた着信する通信の経路指定と、を備える方法。
【請求項２】
代替経路指定規則が満足されたか否かの判断は、前記無線端末識別子に関連された前記無線端末のネットワーク上での利用可能性の判断を備える請求項１に記載の方法。
【請求項３】
代替経路指定規則が満足されたか否かの判断は、メモリの閾値量が前記無線端末識別子に関連された前記無線端末で利用可能か否かの判断を備える請求項１に記載の方法。
【請求項４】
代替経路指定規則が満足されたか否かの判断は、前記無線端末識別子に関連された前記無線端末が予め定義された形式の無線端末であるか否かの判断を備える請求項１に記載の方法。
【請求項５】
代替経路指定規則が満足されたか否かの判断は、予め定義されたサービスが、前記無線端末識別子に関連された前記無線端末で利用可能か否かの判断を備える請求項１に記載の方法。
【請求項６】
代替経路指定規則が満足されたか否かの判断は、前記着信する通信が予め定義された形式の通信であるか否かの判断を備える請求項１に記載の方法。
【請求項７】
代替経路指定規則が満足されたか否かの判断は、時間と日付の少なくとも１つに基づく請求項１に記載の方法。
【請求項８】
代替経路指定規則が満足されたか否かの判断は、予め定義された経路指定識別子がユーザから受信されたか否かに基ずく請求項１に記載の方法。
【請求項９】
無線端末識別子及び代替経路指定識別子の無線端末との関連付けは、
前記無線端末における前記代替経路指定識別子の定義と、
前記無線端末からの前記代替経路指定識別子の無線ネットワークへの通信と、を備える請求項１に記載の方法。
【請求項１０】
前記無線端末からの前記代替経路指定識別子の前記無線ネットワークへの通信は、
前記無線端末からのデータメッセージとしての前記代替経路指定識別子の前記無線ネットワークへの通信を備える請求項９に記載の方法。
【請求項１１】
無線端末識別子及び代替経路指定識別子の無線端末との関連付けは、
前記無線端末に向けた通話が再指定されることとなる代替電話番号の前記無線端末での定義付けと、
前記無線端末から無線ネットワークへの前記代替経路指定識別子としての前記電話番号の通信と、及び
前記無線ネットワークににおいて、前記代替電話番号の前記無線端末識別子との関連付けと、を備える請求項１に記載の方法。
【請求項１２】
代替経路指定規則が満足されたか否かの判断は、前記着信する通信がデータメッセージを備えるとする判断を備え、及び
着信する通信の経路指定は、前記代替経路指定識別子に関連するインターネットアドレス、前記代替経路指定識別子に関連する移動体端末の電話番号及び前記代替経路指定識別子に関連するページャの電話番号の少なくとも１つに基づく前記データメッセージの経路指定を備える請求項１に記載の方法。
【請求項１３】
代替経路指定規則が満足されたか否かの判断は、前記着信する通信がテキストメッセージを備えることの判断を備え、及び
着信する通信の経路指定は、前記テキストメッセージの可聴信号への変換と、前記可聴信号の前記経路指定識別子に基づく経路指定と、を備える請求項１に記載の方法。
【請求項１４】
着信する通信を無線端末に経路指定する無線ネットワークであって、
無線端末識別子及び代替経路指定識別子を無線端末に関連付けるように構成された登録部と、及び
代替経路指定規則が満足されたか否かを判断するように構成され、及び
前記無線端末識別子に向けられた着信する通信を、前記代替経路指定規則が満足されていないときは前記無線端末識別子に基づいて、又は前記代替経路指定規則が満足されているときは前記代替経路指定識別子に基づいて経路指定するように構成された移動体スイッチセンタと、を備える無線ネットワーク。
【請求項１５】
前記移動体スイッチセンタは、前記無線端末識別子に関連する前記無線端末のネットワークでの利用可能性の判断により、代替経路指定規則が満足されたか否かを判断するように構成される請求項１４に記載の無線ネットワーク。
【請求項１６】
前記移動体スイッチセンタは、メモリの閾値量が、前記無線端末識別子に関連した前記無線端末において利用可能か否かを判断することにより、代替経路指定規則が満足されたか否かを判断するように構成される請求項１４に記載の無線ネットワーク。
【請求項１７】
前記移動体スイッチセンタは、前記無線端末識別子に関連する前記無線端末が予め定義された形式の無線端末か否かの判断により、代替経路指定規則が満足されたか否かを判断するように構成される請求項１４に記載の無線ネットワーク。
【請求項１８】
前記移動体スイッチセンタは、予め定義されたサービスが前記無線端末識別子に関連する前記無線端末で利用可能か否かの判断により、代替経路指定規則が満足されたか否かを判断するように構成される請求項１４に記載の無線ネットワーク。
【請求項１９】
前記移動体スイッチセンタは、前記着信する通信が予め定義された形式の通信か否かの判断により、代替経路指定規則が満足されたか否かを判断するように構成される請求項１４に記載の無線ネットワーク。
【請求項２０】
前記移動体スイッチセンタは、前記着信する通信を前記無線端末識別子に基づき、又は代替経路指定識別子を時間と日付の少なくとも１つに基づき経路指定するように構成される請求項１４に記載の無線ネットワーク。
【請求項２１】
前記移動体スイッチセンタは、前記着信する通信を前記無線端末識別子に基づき、又は代替経路指定識別子を前記予め定義された経路指定識別子をユーザから受信したか否かに基づき経路指定するように構成される請求項１４に記載の無線ネットワーク。
【請求項２２】
前記登録部は、複数の代替経路指定識別子を前記無線端末識別子に関連付けるように構成される請求項１４に記載の無線ネットワーク。
【請求項２３】
前記移動体スイッチセンタは、前記代替経路指定規則が満足されるとき、前記複数の代替経路指定識別子に関連した通信機器の利用可能性を順次判断し、前記通信機器の前記利用可能性の判断に基づき、前記着信する通信の経路指定をするように構成される請求項１４に記載の無線ネットワーク。
【請求項２４】
前記移動体スイッチセンタは、前記代替経路指定規則が満足されるとき、前記着信する通信を前記複数の代替経路指定識別子の少なくともいくつかを同時に経路指定するように構成される請求項１４に記載の無線ネットワーク。
【請求項２５】
前記登録部は、無線端末識別子を代替データ経路指定識別子及び代替音声経路指定識別子と関連させるように構成され、及び
前記移動体スイッチセンタは、前記着信する通信がデータメッセージを備えるとき、前記データ経路指定識別子に基づき、前記着信する通信を経路指定するように構成され、前記着信する通信が音声通話を備えるとき、前記音声経路指定識別子に基づき、前記着信する通信を経路指定するように構成される請求項１４に記載の無線ネットワーク。
【請求項２６】
前記移動体スイッチセンタは、前記無線端末が利用不可能のとき、着信するテキストメッセージを可聴信号に変換し、前記代替経路指定識別子に基づいて前記可聴信号の経路指定するように構成される請求項１４に記載の無線ネットワーク。
【請求項２７】
前記移動体スイッチセンタは、前記無線端末が利用不可能のとき、着信する音声通話をテキストメッセージに変換し、前記代替経路指定識別子に基づいて前記テキストメッセージの経路指定するように構成される請求項１４に記載の無線ネットワーク。
【請求項２８】
前記移動体スイッチセンタは、前記無線端末が利用不可能のとき、着信する音声通話をデータメッセージとして記録するように構成され、前記代替経路指定識別子に基づいて前記データメッセージを経路指定するように構成される請求項１４に記載の無線ネットワーク。
【請求項２９】
着信する通信を無線端末に経路指定するコンピュータプログラム製品であって、前記コンピュータプログラム製品は、コンピュータ可読可能な記憶媒体に実施されたプログラムコードを備え、
前記コンピュータプログラムコードは、
無線端末識別子を代替経路指定識別子に関連付けるように構成されたプログラムコードと、
代替経路指定規則が満足されたか否かを判断するように構成されたプログラムコードと、
前記代替経路指定規則が満足されていないときは前記無線端末識別子の基づき、又は前記代替経路指定規則が満足されているときは前記代替経路指定識別子に基づき、前記無線端末識別子に向けられた着信する通信を経路指定するように構成されたプログラムコードと、を備えるコンピュータプログラム製品。
【発明の詳細な説明】
【技術分野】
【０００１】
本発明は一般的に通信システムに関し、より詳しくは、通信を無線端末に経路指定する方法、ネットワーク及びシステムに関する。
【背景技術】
【０００２】
人々は、増加する多くの種類の通信機器を使用する一般的な傾向がある。たとえば、現在、人は加入者回線電話、無線セルラ電話、無線ページャ、無線データ端末及び電子メールで通信する。これら通信機器の多様性は、いかに、いつ、どこで人が連絡を受けるかにより、より高い柔軟性を提供するが、しかし、それはまた、そのような通信の複雑性を増加する。たとえば、これらの通信機器のそれぞれは、ユニークなアクセス要求及びユニークな電話番号、データメッセージアドレス、又はインターネットアドレスを有する。
【発明の開示】
【発明が解決しようとする課題】
【０００３】
そのような各種の通信機器を有する人に連絡するには、その通信機器の電話番号、データメッセージアドレス、又はインターネットアドレスのリストを手に入れ、その人に接触する最良の方法を推測し、及び／又は通信が成功に実行されるまで異なる機器を試すことを必要とする。
【課題を解決するための手段】
【０００４】
本発明の各種の実施例は、経路指定規則に基づいて、通信を選択的に無線端末に経路指定する。無線端末識別子及び代替経路指定識別子は、無線端末と関連されている。代替経路指定規則が満足されたか否かの判断がなされる。その無線端末識別子に向けられた着信する通信は、代替経路指定規則が満足されていないときは、無線端末識別子に基づいて選択的に経路指定され、及び／又は代替経路指定規則が満足されているときは、代替経路指定識別子に基づいて選択的に経路指定される。
【０００５】
本発明の実施例においては、代替経路指定規則は、無線端末のネットワーク上での利用可能性に基づく、メモリの閾値量が無線端末で利用可能か否かに基づく、無線端末が予め定義された端末形式か否かに基づく、予め定義されたサービスが無線端末で利用可能か否かに基づく、着信する通信が予め定義された形式の通信（例えば、ショートメッセージサービスのデータメッセージ、強化メッセージサービスのデータメッセージ、及び／又は電子メールデータメッセージ）か否かに基づく、時間及び／又は日付けに基ずく、及び／又はユーザにより通信され予め定義された経路指定識別子に基づくものである。
【０００６】
本発明の実施例においては、無線端末識別子は、無線電話番号であって、その無線電話番号に向けられた着信する通信は、無線ネットワークに関連していない音声メールボックスに経路指定される。たとえば、音声メールボックスは、公衆交換電話網の１部である。着信する通信がデータメッセージであるときは、代替経路指定識別子に関連されたインターネットアドレスに基づいて、代替経路指定識別子に関連された移動体端末の電話番号にに基づいて、及び／又は代替経路指定識別子に関連されたページャの電話番号に基づいて経路指定される。
【０００７】
さらに、本発明の実施例においては、着信する通信は、経路指定される前に、１つの形式から他に変換される。たとえば、入力するテキストメッセージは可聴信号に変換され、その後代替経路指定識別子に基づいて経路指定される。入力される音声通話はテキストメッセージに変換され、及び／又はデータメッセージとして記録され、その後代替経路指定識別子に基づいて経路指定される。
【発明の効果】
【０００８】
本発明によれば、経路指定規則に基づいて、通信を選択的に無線端末に経路指定することが可能となる。
【発明を実施するための最良の形態】
【０００９】
本発明は、以下添付した図面を参照してより詳細に説明されるが、そこにおいて本発明の実施例が示されている。しかしながら、本発明は、これらの実施例に限定されるものとして解釈されるものではない。むしろこれらの実施例は、完璧で完全なものであって、当業者に本発明の技術的範囲を十分に伝えるために提供される。全体を通じて、同じ符号は同じ素子を参照する。
【００１０】
また、当然の事ながら、ここで使用される用語”備えている”又は”備える”は、制限のないものであって、１またはそれ以上の述べられていない要素、ステップ及び／又は機能を排除することなく、１またはそれ以上の述べられた要素、ステップ及び／又は機能を含む。
【００１１】
本発明は、本発明の実施例における方法及びシステムのブロック図及び／又は動作図を参照して以下説明される。当然の事ながら、ブロック図及び／又は動作図の各ブロック、及びブロック図及び／又は動作図のブロックの組み合わせはアナログ及び／又はデジタルハードウエア及び／又はコンピュータプログラム命令で実施される。これらのコンピュータプログラム命令は、汎用コンピュータ、特定用途向けコンピュータ、ＡＳＩＣ及び／又は、あるシステムにおける他のプログラム可能なデータ処理装置のプロセッサに提供され、それによって、コンピュータ及び／又は他のプログラム可能なデータ処理装置のプロセッサを通じて実行する命令は、ブロック図、及び／又は動作ブロックで特定された機能／動作を実施する手段を生成する。別の実施形態においては、各ブロックに記入された機能／動作は、動作図に示した順序とは異なる。例えば、そこに含まれる機能／動作に基づいて、連続して示される２つのブロックは実質的に同時に実行される、又時には、逆の順序で実行される。
【００１２】
当然の事ながら、ここで用いられている用語”無線端末”は、限定されるものではないが、複数ラインのディスプレイを備えた、または備えてはいないセルラ無線電話機；ページャ；セルラ無線電話機に、データ処理、ファクシミリ及びデータ通信機能を組み合わせたデジタル携帯電話（PCS:Personal Communications System）端末；無線電話機、ページャ、インターネット／イントラネットアクセス、ウェブブラウザ、オーガナイザ、カレンダ及び／又は衛星利用測位（GPS:Global Positioning System）システム受信機を含むことが出来る携帯情報端末（PDA:Persnal Digital Assistant）；及び無線電話機又は他の送受信機を含む一般的なラップトップ及び／又はパームトップ携帯型コンピュータを含む。無線端末は、それに限定するものではないが、ＡＮＳＩ１３６、グローバル・システム・フォー・モバイル・コミュニケーションズ（GSM:Global Systems for Mobile Communications）、符号分割多重アクセス方式（CDMA:Code Division Multiple Access）、広帯域ＣＤＭＡ方式、ＣＤＭＡ２０００、ＧＳＭ進化の拡張データレート方式（EDGE:Enhanced Data rates for GSM Evolution）、ユニバーサル移動体電話システム （UMTS:Universal Mobile Telecommunications Systems）、ＩＥＥＥ８０２．１１ｂ−ｇやブルートュース（Bluetooth）等のような無線ローカルエリアネットワーク（WLAN:Wireless Local Area Network）プロトコル、衛星通信プロトコル、プロジェクト２５やテトラ（Tetra）等のような私有地内移動体無線プロトコル及び／又は他の通信プロトコルを含む１つ又はそれ以上の通信プロトコルに従って、通信するように構成される。ここで使用される通信プロトコルは、通信された情報、タイミング、周波数、変調方式及び／又は設定の操作及び／又は通信接続の維持等を特定する。
【００１３】
図１は、本発明の色々な実施例による、通信機器の間で通信を送るための通信システムのブロック図である。通信システムは、基地局１００ａ−ｂ、無線ネットワーク１１０及び公衆交換電話網（PSTN:Public Switched Telephone Network）１２０を含む。基地局１００ａ−ｂは無線通信チャンネル上で、例えば、セルラ無線電話機１０ａ、データ端末１０ｂ及びページャ１０ｃ等の無線端末（全体として、”無線端末１０ａ−ｃ”と参照される）と通信出来る。図示するための目的で、セルラ無線電話機１０ａが少なくとも音声通信をサポートし、ページャ１０ｃが少なくともデータ通信をサポートし及びデータ端末１０ｂが少なくとも音声及びデータ通信をサポートすると仮定する。無線ネットワーク１１０は無線端末１０ａ−ｃの間及び無線端末１０ａ−ｃとＰＳＴＮ１２０及び／又はインターネットとの間の通信の経路指定を行う。２つの基地局１００ａ−ｂ、１つの無線ネットワーク１１０及び３つの無線端末１０ａ−ｃが示されてはいるが、標準的なセルラ通信システムは、数百の基地局及びより多くの無線ネットワークを含み、数千の無線端末にサービスを提供する。
【００１４】
ＰＳＴＮ１２０は、加入者電話回線２０を通じ、例えば、電話機１０ｄ、音声メール機器１０ｅ、ファクシミリ機器１０ｆ及び顧客端末（CPE:Consumer Premise Equipment）１０ｇ等のような有線通信機器（全体として、”有線通信機器１０ｄ−ｆ”と参照される）と通信出来る。ＰＳＴＮ１２０は、通信を、有線通信機器１０ｄ−ｇの間及び有線通信機器１０ｄ−ｇと無線ネットワーク１１０との間で経路指定する。ＰＳＴＮ１２０は、加入者電話線２０をサービスするサービススイッチポイントを含み、さらにユーザによる読出しのために音声メール及び／又はテキストメッセージを蓄積するように構成された蓄積機器１２４を含むことが出来る。ただ１つのサービススイッチポイントしか示されていないが、具体的な地域のＰＳＴＮは数百のサービススイッチポイントを含むことが出来、数百万の加入者電話線をサービスすることが出来る。
【００１５】
無線端末１０ａ−ｃのそれぞれにはユニーク無線端末識別子が割り当てられ、それは例えば、ユニーク番号及び／又はデータネットワークアドレスである。例えば、音声通信（例えば、セルラ無線電話機１０ａ及びデータ端末１０ｂ）をサポートする無線端末にはユニーク電話番号が割り当てられ、データ通信（例えば、データ端末１０ｂ及びページャ１０ｃ）をサポートする無線端末にはユニークデータネットワークアドレスが割り当てられる。ＧＳＭ型無線端末の無線端末識別子は、移動体国コード（MCC:Mobile Coutry Code）、移動体ネットワークコード（MNC:Mobile Network Code）及び移動体加入者識別番号（MSIN:Mobile Subscriber Identity Number）を含む国際移動体加入者識別（IMSI:International Mobile Subscriber Identity）番号に基づく。
【００１６】
無線ネットワーク１１０は、移動体スイッチセンタ１１２、登録部１１４、通話蓄積機器１１６及びデータネットワークアクセス回路部品１１８を含む。移動体スイッチセンタ１１２は、１つ又はそれ以上の無線端末１０ａ−ｃ、ＰＳＴＮ１２０及びデータネットワークアクセス回路部品１１８を介したインターネットから、へ、及び／又はそれらの間で音声通話及び／又はデータメッセージのような通信の経路指定をする。データメッセージは、電子メール、ショートメッセージサービスのデータメッセージ及び又は強化メッセージサービスのデータメッセージを含むことが出来る。移動体スイッチセンタ１１２は、音声通信及びデータ通信用に別々のネットワークを含む。例えば音声通信はポイント−ポイント間ネットワークを通じて経路指定され、データ通信はパケットスイッチ型ネットワークを通じて経路指定される。登録部１１４は、移動体スイッチセンタ１１２に使用され、１つ又はそれ以上の無線端末１０ａ−ｃに向けられた音声通話及び／又はデータメッセージのような着信する通信の経路指定する情報を含む。
【００１７】
本発明のある実施例において、登録部１１４は、各無線端末識別子と１つ又はそれ以上の代替経路指定識別子との間の関連付けを含む。無線端末識別子と代替経路指定識別子は、例えば移動体端末及び／又はＰＳＴＮ１２０でサービスされる有線通信機器の電話番号、インターネットでアクセス可能な移動体端末及び／又は機器（例えば、インターネットアドレス）、及び／又は音声メールボックス及び／又はデータメールボックスに対応する。登録部１１４はまた、満足されるとき、着信する通信を１つまたはそれ以上の代替経路指定識別子に従って経路指定させる規則を含む。登録部１１４はまた、例えば、サービス加入情報、通信システムにおける無線端末の現在位置の情報、及び／又は補助的なサービス情報のような他の情報を無線端末識別子と関連付ける。登録部の例示的なデータ構成は図２に示される。
【００１８】
移動体スイッチセンタ１１２は、１つ又はそれ以上の無線端末１０ａ−ｃに向けられた着信する通信を如何に経路指定するかについて判断するため登録部１１４にアクセスする。図３は、そのような着信する通信の経路指定をするため移動体スイッチセンタ１１２で使用される動作を示す。ブロック２００において、着信する通信は受信され、それは無線端末識別子を含む。着信する通信は、通話設定用の共通チャンネル信号システムＮｏ．７（SS7:Common Channel Sigaling System No.7）プロトコルに従ってＰＳＴＮ１２０から、データメッセージとしてのインターネットから、及び／又は無線端末１０ａ−ｃから受信される。ブロック２１０において、代替経路指定用の１つ又はそれ以上の規則が着信する通信に対し満足されたか否かの判断がなされる。代替経路指定識別子を使用して着信する通信が経路指定されるか否かを判断する規則は、無線端末のネットワーク上での利用可能性に基づく、利用可能なメモリ、端末の型式及び／又は端末で利用可能なサービスなどの宛先とされた無線端末の特徴に基づく、メッセージの型式（例えば、音声、電子メール、又はメッセージサービスのメッセージ）に基づく、時間及び／又は日付けに基づく、及び／又はユーザからの、いかに着信する通信が無線端末に経路指定されることなるかを設定可能な経路指定識別子に基づく。代替経路指定用の規則が満足されたか否かの判断は、例えば移動体スイッチセンタ１１２により、及び／又は無線端末が位置するエリアにサービスする基地局１００−ｂの１つによりなされる。
【００１９】
ブロック２１０において、代替経路指定用の規則が満足されなかったときは、着信する通信は、ブロック２３０において、着信する通信に関連する無線端末識別子に基づいて経路指定される。例えば、ブロック２３０において、着信する通信は、無線端末に、又は無線端末が登録される無線ネットワークの通話データ蓄積機器１１６にある音声メールボックスに経路指定される。
【００２０】
ブロック２１０において、代替経路指定用の規則が満足されるときは、その後ブロック２２０において、着信する通信は、着信する通信の無線端末識別子に関連する１つ又はそれ以上の代替経路指定識別子に基づいて経路指定される。そのような代替経路指定は、無線端末識別子に基づく経路指定に代えて、又は追加される。例えば、着信する通信は、ブロック２２０において、代替経路指定識別子に基づいて他の無線端末に対し、ＰＳＴＮ１２０によりサービスされる有線通信機器に対し、代替経路指定識別子により識別された蓄積機器１１６にあるデータメールボックス及び／又は音声メールボックスに対し、代替経路指定識別子により識別されたＰＳＴＮ１２０の蓄積機器１２４にある音声メールボックス、及び／又はデータメールボックスに対し、及び／又はインターネットに対しデータネットワークアクセス回路部品１１８を通じて通信されたデータメッセージとして経路指定される。
【００２１】
本発明の図示された１つの実施例においては、ユーザにより規則が確立され、それにより無線電話機に着信するデータメッセージは無線ＰＤＡに再経路指定され、それは、データメッセージの無線電話機への経路指定に代えて、又は追加されて成される。例えば無線ＰＤＡの識別子は、例えば図２の登録部にある無線電話機の識別子に関連する。そのような代替又は追加の経路指定は、無線電話機ユーザインターフェースを使用する代わりに、ＰＤＡにより提供されたユーザインターフェースを使用して、ユーザに着信するデータメッセージを受信させ、視聴させ、及び／又は応答させる。他の図示する実施例においては、ラップトップコンピュータに向けられた着信する電子メールが、無線ＰＤＡ及び／又は無線電話機に再経路指定または追加的に経路指定されるように規則が確立される。ユーザは、従って会議中又はラップトップコンピュータの使用が好ましくない場所（例えば会議中）では、電子メールを介して通信する場合にＰＤＡ又は無線電話機を使用する。図３をに関連して説明したように、追加的な規則が確立され、それにより、代替経路指定がユーザによりなされた経路指定指示（例えば、１つ以上の通信機器に対するトグルする経路指定ＯＮ／ＯＦＦ）に基づき、無線電話機、ＰＤＡ、及び／又はラップトップコンピュータの利用可能性に基づき、利用可能なメモリ、形式又は指定された機器の利用可能なサービスに基づき、メッセージ形式（例えば、音声、電子メール又はメッセージサービスのメッセージ）に基づき及び／又は時間及び／又は日付けに基づき成される。
【００２２】
１つ以上の代替経路指定識別子が無線端末識別子と関連するときは、着信する通信は、例えば、通信機器の利用可能性、優先順序、及び／又は通信が通信機器によってうまく受信されるまで成される代替経路指定識別子のデイジーチェイン型の順次の試みに関するユーザに定義された規則を使用して代替経路指定識別子に基づいて順番に経路指定される。  代替的に又は追加的に、着信する通信は、複数の代替経路指定識別子に基づいて並列的に経路指定される。
【００２３】
本発明の図示された１つの実施例においては、ユーザは連続する経路指定規則を定義し、そこでは、もし電話機Ｂがネットワーク上で利用可能であれば、定義された電話機ＡからのＳＭＳメッセージは他の定義された電話機Ｂへ再経路指定される。電話機Ｂが利用不可能なときは、ＰＤＡ Ａがネットワーク上で利用可能であれば、ＳＭＳメッセージは定義されたＰＤＡ Ａへ再経路指定される。ＰＤＡ Ａが利用不可能であれば、ＳＭＳメッセージは、定義されたＰＯＰ３アカウントＡに再経路指定される。
【００２４】
着信する通信は、ブロック２２０において、たとえば音声通話からその後データメッセージとして経路指定されるデータメッセージ及び／又はテキストメッセージからその後音声通話として経路指定される可聴信号等のように、１つの形式から他の形式へ変換される。図４は、変換し、そして代替経路指定識別子に基づいて経路指定する、図３のブロック２２０で使用される動作を示す。ブロック３００において、着信する通信がテキストメッセージか否かの決定が成される。それがテキストメッセージであれば、その後ブロック３１０でそのテキストメッセージは一般的なテキスト−会話変換プログラム及び／又は回路を使用して可聴信号に変換される。可聴信号は、その後ブロック３２０で代替経路指定識別子に基づいて音声通話として経路指定される。
【００２５】
ブロック３００において着信する通信がテキストメッセージでないときは、ブロック３３０において、着信する通信が音声通話か否かが判断される。もし音声通話であれば、ブロック３４０において、音声通話の会話は、例えば一般的な会話−テキスト変換プログラム及び／又は回路を使用してテキストメッセージに変換される。ブロック３５０において、テキストメッセージは、その後代替経路指定識別子に基づいて経路指定される。ブロック３４０及び３５０の変換及び経路指定の動作に追加して又は代替として、音声通話はブロック３６０でデータメッセージとして録音され、代替経路指定識別子に基づいてブロック３７０で経路指定される。かくして、定義された経路指定規則に基づいて、音声通話はテキストメッセージ及び／又はデータメッセージに変換され、その後無線端末及び／又は代替経路指定識別子と関連する他の通信機器へ経路指定される。たとえば音声通話の受信には利用不可能であるがデータメッセージを受信するには利用可能である無線端末は、音声通話としてデータメッセージを受信する。同様に、データメッセージの受信には利用不可能であるが音声通話を受信するには利用可能である無線端末は、データメッセージとして音声通話を受信する。ブロック３３０で着信する通信が音声通話でない（たとえば、画像メッセージ）ときは、ブロック３８０で代替経路指定識別子に基づいて変更なしに経路指定される。
【００２６】
無線端末識別子と代替経路指定識別子との間の関連は、ユーザにより定義される。たとえば、ユーザは無線端末が利用可能ではないとき、無線端末に向けた着信する通信が着信転送されることとなる代替経路指定識別子を定義する。ユーザは、例えば無線端末、有線通信機器及び／又はデータアクセスネットワーク回路部品１１８でアクセスするように、インターネットを介して無線ネットワーク１１０と関連するウェブサイトにロギングすることで代替経路指定識別子を定義する。定義された代替経路指定識別子は、無線端末から無線ネットワーク１１０に対してショートメッセージサービス用のデータメッセージ、強化メッセージサービス用のデータメッセージ及び／又は電子メールメッセージのようなデータメッセージとして経路指定される。代替経路指定識別子は、無線端末識別子を使用して無線ネットワーク１１０と通信する、及び／又は無線ネットワーク１１０は、無線端末（たとえば、無線端末のＭＳＩＮ）から受信した情報に基づいて無線端末の無線端末識別子を判断する。無線端末識別子から無線ネットワーク１１０への代替経路指定識別子の通信は、無線端末がオフとされる前まで待つ。無線端末識別子と代替経路指定識別子との間の関連は、無線ネットワーク１１０の事業者により、追加的に又は代替的に定義される。例えば、事業者がその関連を定義し、それにより、無線端末が電子メールメッセージのような１つの形式のデータメッセージの受信が利用不可能であれば、そのデータメッセージは、ショートメッセージサービス用のデータメッセージ及び／又は強化メッセージサービス用のデータメッセージ等のような他の形式のデータメッセージとして自動的に経路指定される。
【００２７】
図５は、本発明の色々な実施例による代替経路指定識別子を定義するのに好適であって、そして通信する無線端末４００の例示的な実施例を図示する。無線端末４００は、プロセッサ４１０、メモリ４２０及び送受信機４３０を含み、そして更に、入力機器４４０（例えばキーボード、キーパッド）、ディスプレイ４５０、マイクロフォン４６０及びスピーカ４７０を含む。メモリ４２０は、１つまたは１つ以上の消去可能なプログラマブルリードオンリーメモリ（ＥＰＲＯＭ又はフラッシュＥＰＲＯＭ）、バッテリバックアップ型のランダムアクセスメモリ（ＲＡＭ）、磁気的、光学的あるいは他のデジタル蓄積機器を含み、プロセッサ４１０からは分離され、または少なくとも部分的にプロセッサ４１０に含まれる。送受信機４３０は、一般的に送信機と受信機の両方を含み、双方向通信を可能とするが、しかし本発明はそのような機器に限定されるものではなく、ここで使用されるように、”送受信機”は送信機と受信機の両方を含む、あるいはそのような１つの通信機器だけを含む。無線端末４００は、それにより無線周波数信号を使用して無線ネットワーク１１０と通信する。無線周波数信号は、アンテナ４８０を通じ、少なくとも１つの通信チャンネル上で無線ネットワーク１１０と通信される。
【００２８】
図６は、無線ネットワーク１１０の１つ以上の構成要素として使用するのに好適なデータ処理ユニット５００の例示的な実施例を図示する。データ処理ユニット５００は、典型的にメモリ５２０及びＩ／Ｏデータポート５３０と通信するプロセッサ５１０を含む。メモリ５２０は登録部１１４（図１）のデータ構造を記憶するように構成される。データ処理ユニット５００は、またキーボード又はキーパッドのような入力デバイス５４０及びプロセッサ５１０とまた通信するディスプレイ５５０を含む。Ｉ／Ｏデータポート５３０は、データ処理ユニット５００と、無線ネットワーク１１０、基地局１１０ａ−ｂ、及び／又はＰＳＴＮ１２０の他の部品との間で情報を伝送するのに使用される。これらの部品は、多くの従来の無線ネットワーク及び／又は、上記で説明したように動作するように構成された移動体スイッチセンタで使用されるような従来の部品である。
【００２９】
図面及び明細書において、本発明の例示的な実施例が説明された。具体的な用語が使用されたが、それらは、一般的及び説明的な感覚で使用されたのであって、限定の目的で使われたものではなく、本発明の技術的範囲は以下の請求項で定義される。
【図面の簡単な説明】
【００３０】
【図１】本発明の各種実施例による通信システムのブロック図である。
【図２】本発明の各種実施例による登録部のデータ構造を描く図である。
【図３】本発明の各種実施例による、着信する通信を無線端末に経路指定する動作を描くフローチャート図である。
【図４】本発明の各種実施例による、着信する通信を無線端末に経路指定する動作を描くフローチャート図である。
【図５】本発明の各種実施例による無線端末のブロック図である。
【図６】本発明の各種実施例によるデータ処理ユニットのブロック図である。
【図１】
2007512766.tif 000003
【図２】
2007512766.tif 000004
【図３】
2007512766.tif 000005
【図４】
2007512766.tif 000006
【図５】
2007512766.tif 000007
【図６】
2007512766.tif 000008
【国際調査報告】
2007512766.tif 000009
2007512766.tif 000010
2007512766.tif 000011
2007512766.tif 000012